(57)【要約】【課題】撮影レンズ部、ストロボ発光部、バッテリ部、信号処理回路基板、画像表示部などの各要素を好適に配置することにより、小型化に適した、携帯性及び操作性に優れた電子映像カメラを提供する。【解決手段】カメラボデイ１とカメラボディ２をヒンジ部４により折り畳み及び回動可能な構造とし、カメラボディ１にシャッターボタン９とバッテリー部１１を配置し、カメラボディ２に撮像レンズ部５を配置し、該カメラボディ１とカメラボディ２を折り畳んだ状態では撮像レンズ５等は内側に折り畳まれて保護され、展開した状態ではカメラボディ２を回動し、撮像レンズの向きを変えることができる。【選択図】図１
2004328790.tif 000002
【特許請求の範囲】
【請求項１】
二つのボディを有する電子映像カメラであって、
該電子映像カメラは、シャッター部とバッテリ部を有するボディＡと、撮像レンズ部を有するボディＢとを有し、前記ボディＡとボディBはヒンジ部により折り畳み及び回動可能に結合され、
前記ボディＡとボディＢを折り畳んだ状態では、前記ボディＡの前記バッテリ部はヒンジ部がある端部とは別の端部に配置され、該ボディＡの所定の面と前記ボディBの前記撮像レンズ部を有する面とが向かい合う状態で折り畳まれ、
前記ボディＡとボディＢを展開した状態では、前記ボディＡの前記バッテリ部は該展開された形態における一方の端部に配置され、前記ボディＢは折り畳まれる軸と直交する軸を回動軸として、前記撮像レンズ部を備える面が前記ボディＡの所定の面と略反対の面を向くように回動することが可能であることを特徴とする電子映像カメラ。
【請求項２】
請求項１に記載の電子映像カメラであって、
前記ボディＡは液晶画像表示部を有し、
前記ボディＡとボディＢを折り畳んだ状態では、前記ボディＡの前記液晶画像表示部を備える面と前記ボディBの前記撮像レンズ部を備える面とが向かい合う状態で折り畳まれ、
前記ボディＡとボディＢを展開した状態では、前記ボディBは折り畳まれる軸と直交する軸を回動軸として、前記撮像レンズ部を備える面が前記ボディＡの前記液晶画像表示部を備える面と略反対の面を向くように回動することが可能であることを特徴とする電子映像カメラ。
【請求項３】
請求項１または２に記載の電子映像カメラであって、
前記ボディBはストロボ発光部を有し、該ストロボ発光部は該ボディBのヒンジ部近傍に配置され、かつ、前記撮像レンズ部は該ボディBのヒンジ部とは別の端部近傍に配置されていることを特徴とする電子映像カメラ。
【請求項４】
請求項１〜３のいずれか１項に記載の電子映像カメラであって、
前記ボディＢは記録媒体収納部を有し、該記録媒体収納部は該ボディＢの幅方向の側面に配置されていることを特徴とする電子映像カメラ。  
【請求項５】
請求項１〜４のいずれか１項に記載の電子映像カメラであって、
前記ボディＡは液晶画像表示部、液晶画像表示回路基板、コントロール基板およびバッテリ部を有し、
前記ボディBは撮影レンズ部、信号処理回路基板、記録媒体収納部、ストロボ発光部、ストロボ回路基板、ストロボコンデンサーを有することを特徴とする電子映像カメラ。
【発明の詳細な説明】
【技術分野】
【０００１】
本発明は、磁気記録媒体やメモリーカードなどの半導体記録媒体に画像記録する小型で携帯性に優れたビデオカメラや電子スチルカメラなどの電子映像カメラに関する。
【背景技術】
【０００２】
従来の電子映像カメラは、撮影レンズを通して得られた被写体像を固体撮像素子で光電変換する撮像部と、その光電変換した信号を記録媒体に記録する信号にする信号処理部と、記録媒体を含む記録部と、ファインダー機能と共に記録した画像を再生表示する画像表示部とからなり、これらの要素ユニットを含むカメラボディの形態は次の二つの例のようになっており、電子映像カメラの従来例を図６及び図７に示す。
【０００３】
図６は、撮影レンズ部３０と固体撮像素子回路部３１がカメラボディ３２横に配置されている例であり、この両者が図示されていないメインフレームに固定され、更に、信号処理回路基板３３、記録媒体３４の収納部３５及び同接続回路部３６、バッテリー部３７、コンデンサー３８a と発光部３８b を含むストロボ回路基板部３８、カメラボディ３２の背面に表示部を持つ液晶画像表示部３９などが固定された後、このメインフレームにカメラボディ３２を取り付ける方式であり、カメラボディは横長に大きくなる。
【０００４】
図７は、上記と同様に撮影レンズ部３０と固体撮像素子回路部３１を横に配置したものであるが、撮影レンズ部３０がカメラボデイ３２より突出しないように奥行きのある板状にしたものであり、図示しないメインフレームに前記撮影レンズ３０や固体撮像素子回路３１、信号処理回路基板３３、記録媒体収納部３５及び同接続回路部３６、バッテリー部３７、ストロボコンデンサー３８a 、発光部３８b を含むストロボ回路基板部３８を固定した後、カメラボディ３２を取り付ける。更に、このカメラボディ３２の上面に折りたたみ式の液晶画像表示部３９を設置する。この方式では、カメラボディは厚くなる。
【０００５】
また、この二つの従来例では信号処理回路基板部の面積をとる必要から１枚当たりの基板を大きくしたり、または基板の枚数を増やしてコネクター接続の積層構造にしなければならない。また、撮影レンズやバッテリーなどの内容物に基板が当たるのを避けるために基板の一部を切り欠いたりしなければならない。このようにすることで、カメラボディ外形が全体的に大きくなる。
【発明の開示】
【発明が解決しようとする課題】
【０００６】
従来の通常のコンパクトカメラタイプの電子映像カメラにおいては、回路基板面積を出来るだけ大きくするために撮影レンズを横端に配置するなど、基板の切り欠く量を小さくしている。しかし、限界があり基板はやはり大きくなる。また、ストロボ回路基板や記録媒体接続回路部その他などを積層に多数構成しなければならず、カメラは縦、横、厚み方向にも大きくなり、携帯性、操作性も悪化させている。
【０００７】
更に、奥行き方向に長い板状のカメラ形態においては、撮影レンズ部は突出しないでカメラボディ内に収まるが、上記と同様に基板面積を広くとる必要からカメラボディは大きくなり、且つ、液晶画像表示部はカメラボディ上面に設けられているのでカメラ全体の厚みは更に厚いものになり、撮影及び再生時は画像表示部を立てて見るのでカメラホールド性が悪く、シャッターボタンその他操作部などの配置が人間工学的にも無理があり、操作性、携帯性、重量バランスに欠けるものとなっている。
【０００８】
本発明の目的は、折り畳んだ状態では、液晶画像表示面、撮影レンズ面、ストロボ発光部面を保護する機能をもち、開閉ヒンジによって結合されている二つのカメラボディを展開した状態では、カメラホールド性に優れ、液晶画像表示面の視認性を高め、カメラの様々な使用態様に対応する操作性の良好な形態であり、基板有効面積が広くとれて部品実装性に優れた電子映像カメラを提供することにある。
【課題を解決するための手段】
【０００９】
本発明は、二つのボディを有する電子映像カメラであって、該電子映像カメラは、シャッター部とバッテリ部を有するボディＡと、撮像レンズ部を有するボディＢとを有し、前記ボディＡとボディBはヒンジ部により折り畳み及び回動可能に結合され、前記ボディＡとボディＢを折り畳んだ状態では、前記ボディＡの前記バッテリ部はヒンジ部がある端部とは別の端部に配置され、該ボディＡの所定の面と前記ボディBの前記撮像レンズ部を有する面とが向かい合う状態で折り畳まれ、前記ボディＡとボディＢを展開した状態では、前記ボディＡの前記バッテリ部は該展開された形態における一方の端部に配置され、前記ボディＢは折り畳まれる軸と直交する軸を回動軸として、前記撮像レンズ部を備える面が前記ボディＡの所定の面と略反対の面を向くように回動することが可能であることを特徴とする電子映像カメラに関する。
【００１０】
また、好ましくは前記ボディＡは液晶画像表示部を有し、前記ボディＡとボディＢを折り畳んだ状態では、前記ボディＡの前記液晶画像表示部を備える面と、記ボディBの前記撮像レンズ部を備える面とが向かい合う状態で折り畳まれ、前記ボディＡとボディＢを展開した状態では、前記ボディBは折り畳まれる軸と直交する軸を回動軸として、前記撮像レンズ部を備える面が前記ボディＡの前記液晶画像表示部を備える面と略反対の面を向くように回動することが可能であることを特徴とする電子映像カメラに関する。
【００１１】
また、好ましくは前記ボディBはストロボ発光部を有し、該ストロボ発光部は該ボディBのヒンジ部近傍に配置され、かつ、前記撮像レンズ部は該ボディBのヒンジ部とは別の端部近傍に配置されていることを特徴とする電子映像カメラに関する。
【００１２】
また、好ましくは前記ボディＢは記録媒体収納部を有し、該記録媒体収納部は該ボディＢの幅方向の側面に配置されていることを特徴とする電子映像カメラに関する。
【００１３】
また、好ましくは前記ボディＡは液晶画像表示部、液晶画像表示回路基板、コントロール基板およびバッテリ部を有し、前記ボディBは撮影レンズ部、信号処理回路基板、記録媒体収納部、ストロボ発光部、ストロボ回路基板、ストロボコンデンサーを有することを特徴とする電子映像カメラに関する。
【発明の効果】
【００１４】
本発明の構成によれば、以下に述べる効果の１または２以上を得ることができる。即ち、折り畳んだ状態では撮影レンズ部、ストロボ発光部と液晶画像表示部は内側に折り畳まれて保護され、携帯性に優れたており、展開した状態ではホールドが良く構えることができ、操作性に優れている。
【００１５】
また、撮影レンズ部、ストロボ発光部のあるカメラボディＢを回転させて任意の角度で通常撮影やストロボ撮影ができ、液晶画像表示部を有するカメラボディＡを回転することにより液晶画像表示面の視認性も高めることができる。
【００１６】
また、シャッターボタンなど操作系があるカメラボディには液晶画像表示部や、バッテリー部、コントロール基板などが配設されるのみであるから基板を切り欠くことが殆どなく、基板有効実装面積が広くとれ、結果的に効率よく小さく構成できる。
【００１７】
また、バッテリーや液晶表示部など比較的重量のある要素部分を内蔵するこのカメラボディを手のひらでホールドするので重量バランス的にも良好となる。そして、もう一方のカメラボディには撮影レンズ部や記録媒体収納部、信号処理回路部などが配設されるので同様に殆ど基板を切り欠くことなく基板有効実装面積を広くとれ、結果的に効率よく小さく構成できる。
【００１８】
また、各要素部をカメラボディに殆どフレームを用いずに直接固定でき、また、カメラボディは小さな箱状になるので強度的にも強くなり且つ、事前組立もやりやすいのでコスト的にも有利となる。
【発明を実施するための最良の形態】
【００１９】
以下、図面を用いて本発明の実施の形態を説明する。図１は本発明の電子映像カメラの実施例のカメラボディを１８０°展開したカメラの外観斜視図であり、図２、図３は図１の電子映像カメラの撮影レンズのある可動側カメラボディを回転させて図４のように折り畳む迄の途中形態を示した外観斜視図である。図４では、片方のカメラボディが折り畳んでもう片方と一体結合した格納及び携帯状態のカメラボディの形態を示す。図において同じ部位は同じ符号で示す。ここで、図４に示すようにカメラボディは幅Ｌ＞高さＨ＞厚さＴの関係を持つ箱形形状が用いられる。
【００２０】
図において、１は折りたたみ構造の電子映像カメラの固定側のカメラボディＡ、２はもう一方の可動側のカメラボディＢであり、３はカメラボディ１と２が折り畳められた状態を示し、４はカメラボディ１と２を結合及び１８０°回動展開し、カメラボディ２を一方向に１８０°又は逆方向に９０°回転可能とするヒンジ部である。５は撮影レンズ部であり、６はストロボ発光部であり、７はカメラボディ１に配設されたファインダー機能及び記録した画像を再生して見る液晶画像表示部、８はカメラボディ２に収納される記録媒体であり、９はカメラボディ１上部に配設されたシャッターボタンである。カメラボディ１と２が折り畳められた３の状態では図示していない結合固定部材によりカメラボディ１と２が固定される。同様にカメラボディ１と２の１８０°展開時は図示されていない回動展開時固定ロック部によって固定され、カメラホールドが確実にできるようになる。また、図示していないが、図２に示す方向と逆の方向にカメラボディ２を９０°回転し、特殊な姿勢での撮影に用いることも出来る。
【００２１】
カメラボディ１には液晶画像表示部７や、１０の同画像表示回路基板部及び１１のバッテリー部、１２はバッテリー部１１の上部に配設されたシャッターボタン９などの操作系及びカメラコントロール回路が同一基板上に設けられたコントロール基板である。ヒンジ部４を通じてカメラボディ１と電気的にも接続されているカメラボディ２には記録媒体８を収納する１３の記録媒体収納部と１４の信号処理回路基板が配設され、この信号処理回路基板１４には記録媒体８の信号処理回路部と撮影レンズ５と接続された固体撮像素子回路部が同じ基板上に構成されている。１５はストロボ回路基板、ストロボ発光部６、１６のストロボコンデンサーなどが配設されている。
【００２２】
図１のカメラボデイ１と２が展開している状態から、格納する場合には図２のようにカメラボディ２を回転させ、図３のようにカメラボディ２が１８０°回転して逆さまになった時点でカメラボディ回動展開固定ロックを解除してカメラボディ２をカメラボディ１側に折り畳む。
【００２３】
以上説明したように本発明の構成によれば、幅Ｌ＞高さＨ＞厚さＴの関係を持つ箱形で非常に小型で携帯性に優れたカメラになり、カメラを１８０°展開した場合は幅が２Ｌ、厚さがＴ／２となり、銀塩コンパクトカメラのようにホールドが良く構えることができ、更に、撮影レンズ部、ストロボ発光部のあるカメラボディ２を回転させて任意の角度で通常撮影のみならずストロボ撮影もできる。また、回転することにより液晶画像表示面の視認性も高めることができる。
【００２４】
シャッターボタンなど操作系があるカメラボディには液晶画像表示部や、バッテリー部、コントロール基板などが配設されるのみであるから基板を切り欠くことが殆どなく、基板有効実装面積が広くとれ、結果的に効率よく小さく構成できる。また、バッテリーや液晶表示部など比較的重量のある要素部分を内蔵するこのカメラボディを手のひらでホールドするので重量バランス的にも良好となる。もう一方のカメラボディには撮影レンズ部や記録媒体収納部、信号処理回路部などが配設されるので同様に殆ど基板を切り欠くことなく基板有効実装面積を広くとれ、結果的に効率よく小さく構成できる。いずれの場合も各要素部をカメラボディに殆どフレームを用いずに直接固定でき、また、カメラボディは小さな箱状になるので強度的にも強くなり且つ、事前組立もやりやすいのでコスト的にも有利となる。
【００２５】
また、撮影レンズ部、ストロボ発光部と液晶画像表示部はカメラボディを閉じた状態では互いに向かい合う形になり、撮影レンズ面、ストロボ発光面や液晶画像表示面を保護する形態となる。
【産業上の利用可能性】
【００２６】
本発明によれば、携帯性や操作性に優れた電子映像カメラを提供することができる。
【図面の簡単な説明】
【００２７】
【図１】本発明の電子映像カメラの実施例を示し、カメラボディが回動展開した形態を示す外観斜視図である。
【図２】本発明の実施例において、カメラボディ１と２を折り畳み格納するまでの途中形態を示す外観斜視図である。
【図３】本発明の実施例において、カメラボディ１と２を折り畳み格納までの途中形態を示し、折り畳まれる直前の状態を示す外観斜視図である。
【図４】本発明の実施例において、カメラボディ１と２を折り畳み格納した形態を示す外観斜視図である。
【図５】本発明の実施例の内部構成を示す概略構成図である。
【図６】従来の撮影レンズをボディ横に配置した電子映像カメラの外観斜視図である。
【図７】従来の板状形態の電子映像カメラの外観斜視図である。
【符号の説明】
【００２８】
１ カメラボディＡ
２ カメラボディＢ
３ カメラボディ折り畳み状態
４ ヒンジ部
５ 撮影レンズ部
６ ストロボ発光部
７ 液晶画像表示部
８ 記録媒体
９ シャッターボタン
１０ 液晶画像表示回路基板
１１ バッテリー部
１２ コントロール基板
１３ 記録媒体収納部
１４ 信号処理回路基板
１５ ストロボ回路基板
１６ ストロボコンデンサー
３０ 撮影レンズ部
３１ 固体撮像素子回路部
３２ カメラボディ
３３ 信号処理回路部
３４ 記録媒体
３５ 記録媒体収納部
３６ 記録媒体接続回路部
３７ バッテリー部
３８ ストロボ回路基板部
３８a ストロボコンデサー
３８b 発光部
３９ 液晶画像表示部
【図１】
2004328790.tif 000003
【図２】
2004328790.tif 000004
【図３】
2004328790.tif 000005
【図４】
2004328790.tif 000006
【図５】
2004328790.tif 000007
【図６】
2004328790.tif 000008
【図７】
2004328790.tif 000009